(57)【要約】      （修正有）【課題】Ｘ線管の焦点が被検体の体軸方向に変位したても、これをレスポンス良く補正することができるＸ線ＣＴ装置を提供する。【解決手段】被検体２を中心に回転する回転体４と、前記回転体４に設置され前記被検体２へ向けてＸ線を照射するＸ線管５ｂを含むＸ線管装置と、前記被検体２を挟んで前記Ｘ線管５と対向するように前記回転体４に設置され前記被検体２を透過したＸ線を検出するＸ線検出器６とを備えるＸ線ＣＴ装置において，前記Ｘ線管装置のＸ線管を収納する外囲器の外周近傍に設けられ、前記Ｘ線管５内の陰極５ａから放出された電子ビーム５ｃを偏向するための偏向磁場Ｂを形成する偏向電磁石９と，前記Ｘ線管５の体軸方向への焦点変位を検出する焦点変位検出器１０と，前記焦点変位検出器１０によって検出される体軸方向への焦点変位がゼロになるように、前記偏向電磁石９の励磁電流を調整する偏向制御手段１１と，を備えて構成する。【選択図】図１
2009142349.tif 000002
【特許請求の範囲】
【請求項１】
被検体を中心に回転する回転体と、前記回転体に設置され前記被検体へ向けてＸ線を照射するＸ線管を含むＸ線管装置と、前記被検体を挟んで前記Ｘ線管と対向するように前記回転体に設置され前記被検体を透過したＸ線を検出するＸ線検出器とを備えるＸ線ＣＴ装置において，
前記Ｘ線管装置のＸ線管を収納する外囲器の外周近傍に設けられ、前記Ｘ線管内の陰極から放出された電子ビームを偏向するための偏向磁場を形成する偏向電磁石と，
前記Ｘ線管の体軸方向への焦点変位を検出する焦点変位検出器と，
前記焦点変位検出器によって検出される体軸方向への焦点変位がゼロになるように、前記偏向電磁石の励磁電流を制御する偏向制御手段と，
を備えることを特徴とするＸ線ＣＴ装置。
【請求項２】
前記偏向電磁石は、
鉄心とコイルからなり、前記鉄心は開放端を有す略Ｃ字状に形成され、前記外囲器を跨いで配置されるとともに、前記開放端の断面中心を結ぶ線が水平面内で前記電子ビームと交差するように配置されていることを特徴とする請求項１に記載のＸ線ＣＴ装置。
【請求項３】
前記Ｘ線管装置の外囲器、管容器、陰極は、
非磁性体又は常磁性体によって形成されていることを特徴とする請求項１に記載のＸ線ＣＴ装置。
【請求項４】
前記焦点変位検出器は，
前記Ｘ線検出器の一部の複数のＸ線検出素子を利用して前記Ｘ線管の体軸方向の焦点変位を検出するものである請求項１，２又は３に記載のＸ線ＣＴ装置。
【請求項５】
前記焦点変位検出器は，
前記Ｘ線管と前記被検体との間に設置し、前記Ｘ線管から照射されるＸ線を受光することにより前記Ｘ線管の体軸方向の焦点変位を検出するものである請求項１，２，３又は４に記載のＸ線ＣＴ装置。
【請求項６】
前記偏向電磁石は，
鉄心を、前記Ｘ線管のＸ線照射側に配置され、前記Ｘ線管から前記被検体へ向けて照射されるＸ線が遮蔽されないように形成されたものである請求項１，２，３，４又は５に記載のＸ線ＣＴ装置。
【発明の詳細な説明】
【技術分野】
【０００１】
本発明は、Ｘ線ＣＴ装置に係り、特にＸ線管の焦点が体軸方向に変位した場合に、これをレスポンス良く補正することができるＸ線ＣＴ装置に関する。
【背景技術】
【０００２】
近年のＸ線を使用して被検体の断層撮影を行うＸ線ＣＴ装置は、被検体の体軸を中心に回転する回転体を有しており、この回転体に被検体を挟んで対向するようにＸ線管とＸ線検出器が配置されている。
【０００３】
また、Ｘ線管から被検体に照射され、この被検体を透過したＸ線は、Ｘ線検出器によって検出される。このＸ線検出器は、入力したＸ線を検出し、検出したＸ線を電気信号に変換するもので、検出したＸ線強度に応じた電気信号（デジタルデータ）を、画像処理手段へ出力するようになっている。
【０００４】
画像処理手段は、Ｘ線検出器から出力された電気信号（デジタルデータ）を入力し、この入力したデジタルデータを演算処理して画像を再構成し、被検体の断層画像として記録し、表示手段に断層画像を表示するように構成されている。
【０００５】
Ｘ線ＣＴ装置においては、Ｘ線管は、Ｘ線管から放射されるＸ線の線量分布に鑑みて、陽極と陰極の配置方向が被検体の体軸方向へ一致するように前記回転体へ取り付けられる。
【０００６】
このような構成のＸ線ＣＴ装置にあっては、長時間運転していると、Ｘ線管が発熱する。このＸ線管の発熱は、Ｘ線管内の陽極に熱膨張を生じさせる。このため、Ｘ線管の焦点位置が体軸方向に変位する。この結果、Ｘ線管より照射されたＸ線は、Ｘ線検出器の正常な位置に当たらなくなってしまうという問題を有している。
【０００７】
このような問題を改善するために、Ｘ線を発生するための電子ビームを偏向可能に構成されたＸ線管を用い、Ｘ線管の陽極が熱膨張等により伸縮して焦点位置が変位すると、Ｘ線検出器の少なくとも２列の各所定の検出信号に基づき、両信号振幅が同一となる方向に電子ビームを偏向制御することにより、焦点位置を補正するように構成されたＸ線ＣＴ装置が提案されている（例えば、特許文献１参照。）。
【特許文献１】特開２００２−２３８８８５号公報
【発明の開示】
【発明が解決しようとする課題】
【０００８】
しかしながら、特許文献１のＸ線ＣＴ装置は、電子ビーム偏向手段を備えた構成のＸ線管を使用する構成となっているため、電子ビーム偏向手段が備わっていない一般的なＸ線管を使用することができないという点について配慮がなされていない。
【０００９】
本発明の目的は、電子ビーム偏向手段が備わっていない一般のＸ線管を使用することができ、Ｘ線管の焦点が被検体の体軸方向に大きく変位した場合でも、これをレスポンス良く補正することができるＸ線ＣＴ装置を提供することにある。
【課題を解決するための手段】
【００１０】
上記目的を達成するため、請求項１に記載のＸ線ＣＴ装置は、被検体を中心に回転する回転体と、前記回転体に設置され前記被検体へ向けてＸ線を照射するＸ線管を含むＸ線管装置と、前記被検体を挟んで前記Ｘ線管と対向するように前記回転体に設置され前記被検体を透過したＸ線を検出するＸ線検出器とを備えるＸ線ＣＴ装置において，前記Ｘ線管装置のＸ線管を収納する外囲器の外周近傍に設けられ、前記Ｘ線管内の陰極から放出された電子ビームを偏向するための偏向磁場を形成する偏向電磁石と，前記Ｘ線管の体軸方向への焦点変位を検出する焦点変位検出器と，前記焦点変位検出器によって検出される体軸方向への焦点変位がゼロになるように、前記偏向電磁石の励磁電流を制御する偏向制御手段と，を備えることを特徴とする。
【００１１】
このように構成することにより、請求項１に記載のＸ線ＣＴ装置によれば、電子ビーム偏向によりＸ線管陰極の体軸方向への焦点変位をレスポンス良く補正することができる。また、偏向電磁石をＸ線管の内部に設けるのではなく、Ｘ線管装置とは別のユニットとしてＸ線管装置の外囲器の外周近傍に設けるため、電子ビーム偏向手段が備わっていないＸ線管を使用することができる。
【００１２】
上記目的を達成するため、請求項２に記載のＸ線ＣＴ装置は、請求項１に記載のＸ線ＣＴ装置における偏向電磁石が鉄心とコイルからなり、前記鉄心は開放端を有す略Ｃ字状に形成され、前記外囲器を跨いで配置されるとともに、前記開放端の断面中心を結ぶ線が水平面内で前記電子ビームと交差するように配置されていることを特徴とする。
【００１３】
このように構成することにより、請求項２に記載のＸ線ＣＴ装置によれば、陰極から陽極へ放射される電子ビームが電磁石の開放端間に発生させられた偏向磁場によって偏向される。
【００１４】
上記目的を達成するため、請求項３に記載のＸ線ＣＴ装置は、請求項１又は２に記載のＸ線ＣＴ装置におけるＸ線管装置の外囲器、管容器、陰極は非磁性体又は常磁性体によって形成したことを特徴とする。
【００１５】
このように構成することにより、請求項３に記載のＸ線ＣＴ装置によれば、偏向電磁石によって形成される偏向磁場の乱れが小さくなるので、焦点位置の補正が容易となり、その精度も向上できる。
【００１６】
上記目的を達成するため、請求項４に記載のＸ線ＣＴ装置は、請求項１，２又は３に記載のＸ線ＣＴ装置における焦点変位検出器を、Ｘ線検出器の一部の複数のＸ線検出素子を利用して前記Ｘ線管の体軸方向の焦点変位を検出することを特徴とする。
【００１７】
このように構成することにより、請求項４に記載のＸ線ＣＴ装置によれば、Ｘ線検出器が焦点変位検出器の機能を兼ね備えているため、低価格化を実現することができる。
【００１８】
上記目的を達成するため、請求項５に記載のＸ線ＣＴ装置は、請求項１，２，３又は４に記載のＸ線ＣＴ装置における焦点変位検出器を、Ｘ線管と被検体との間に設置し、Ｘ線管から照射されるＸ線を受光することによりＸ線管の体軸方向の焦点変位を検出することを特徴とする。
【００１９】
このように構成することにより、請求項５に記載のＸ線ＣＴ装置によれば、焦点変位検出器は，Ｘ線管から照射されるＸ線を被検体によってさえぎられることなくダイレクトに受光できるので、被検体の体格やポジショニング等によらず安定して焦点位置を補正することができる。
【００２０】
上記目的を達成するため、請求項６に記載のＸ線ＣＴ装置は、請求項１，２，３，４又は５に記載のＸ線ＣＴ装置における偏向電磁石を、鉄心を、Ｘ線管のＸ線照射側に配置し、Ｘ線管から被検体へ向けて照射されるＸ線が遮蔽されないように形成したことを特徴とする。
【００２１】
このように構成することにより、請求項６に記載のＸ線ＣＴ装置によれば、鉄心の長さを短くすることができため、よりコンパクトな偏向電磁石を実現することができる。
【発明の効果】
【００２２】
本発明によれば、偏向電磁石をＸ線管装置とは別のユニットとしてＸ線管装置の外囲器の近傍に設けるため、電子ビーム偏向手段が備わっていないＸ線管を使用することができ、電子ビーム偏向によりレスポンス良く焦点位置を補正することができるという効果を奏することができる。
【発明を実施するための最良の形態】
【００２３】
以下、本発明を実施するための最良の形態について図面を用いて、詳細に説明する。
【実施例１】
【００２４】
図１〜図４には、本発明に係るＸ線ＣＴ装置の第１の実施例が示されている。図１は、Ｘ線ＣＴ装置において本発明に関連する要部構成図、図２、図３は、図１に図示の偏向電磁石部を示す図で、図２はその正面図、図３はその側面図、図４は、図１に図示のＸ線ＣＴ装置の焦点位置の補正を説明するための図である。
【００２５】
図１において、１は、Ｘ線ＣＴ装置の主要部を構成するガントリである。このガントリ１は、中央部に円形の開口部１ａを有しており、この開口部１ａの中心部には、被検体２を寝かせるための寝台３が設置されている。
【００２６】
寝台３は、図示しない水平移動手段及び上下移動手段によって、被検体２の体軸方向及び上下方向への移動が自在となっている。
【００２７】
ガントリ１内には、被検体２を中心に回転する回転体４が設けられている。この回転体４には、被検体２を挟んで対向するようにＸ線管装置５とＸ線検出器６が配置されている。Ｘ線管装置５は、回転体４に固定されたＸ線管支持部１３によって支持されている。そして、Ｘ線管支持部１３の内部には、コリメータ８が収納されている。
【００２８】
Ｘ線管装置５は、Ｘ線管外囲器（ハウベ）５ａとＸ線管（チューブ）５ｂを備え、図４に示す如く、Ｘ線管５ｂの陰極５ｃと、回転可能に構成された傘形の陽極５ｄが設けられている。このＸ線管５ｂは、管の内部の陰極５ｃから放出された電子ビーム５ｅが焦点５ｆに衝突することにより、焦点５ｆから円錐状のＸ線を被検体２に向けて発生するようになっている。
【００２９】
そして、この焦点５ｆから発生したＸ線は、コリメータ８によって、扇状又は角錐状のＸ線ビーム７にコリメートされて、被検体２に照射される。
【００３０】
Ｘ線検出器６は、図１に示す如く、図４に図示のＸ線管５ｂの焦点５ｆを中心として円弧状に形成され、配置されている。このＸ線検出器６は、Ｘ線ビーム７の受光面に、被検体２の体軸方向（図１の表面から裏面に突き抜ける方向）に直交するチャンネル方向に、多数のＸ線検出素子群（図示せず）が配列され、さらに、このＸ線検出器６のＸ線ビーム７の受光面に配列されたＸ線検出素子群は、被検体２の体軸方向（スライス方向）へ複数列配列された構造となっている。
【００３１】
そして、被検体２に照射されたＸ線ビーム７は、被検体２を透過し、Ｘ線検出器６によって検出される。このＸ線検出器６の各検出素子においては、被検体２を透過してきたＸ線とその強度及び量に応じて電気信号に変換してデジタルデータ化して画像処理手段（図示せず）に出力する。
【００３２】
この画像処理手段では、１スキャンの間にＸ線検出器６で検出されたデジタルデータに基づき、画像を再構成するようになっている。
【００３３】
また、図１に図示のＸ線ＣＴ装置には、Ｘ線管装置５の体軸方向（スライス方向）の焦点位置をレスポンス良く補正するために、偏向電磁石９と、焦点変位検出器１０と、偏向制御手段１１とが設けられている。
【００３４】
偏向電磁石９は、図２に示す如く、Ｘ線管装置５の外囲器５ａの外面に接近して磁石固定具１４によってＸ線管支持部１３へ固定されている。この偏向電磁石９は、図２に示す如く、ケイ素鋼板製の鉄心９ａにコイル９ｂを巻き付けて形成されている。この偏向電磁石９の鉄心９ａは、その横断面が矩形状をしていて、全体が全体が開放端を有す略Ｃ字状に形成され、図２，図３に示すように筒状の外囲器５ａを跨ぐように配置されている。
【００３５】
そして、鉄心９ａの両端の断面中心を結ぶ線は、Ｘ線管５ｂの陰極５ｃから陽極５ｄへ通常状態で放射される電子ビームの中心とほぼ一致する位置であって、スライス面に直交する水平面内にあって、電子ビームと交差する方向へ向けられている。
【００３６】
この偏向電磁石９のコイル９ｂへ電流を供給するとＸ線管５ｂの陰極５ｃから放射される電子ビーム５ｅを偏向するための偏向磁場Ｂが形成される。
【００３７】
そして、この偏向電磁石９の鉄心９ａに巻き付けたコイル９ｂに電流を供給するとＸ線管５ｂの陰極５ｃから放射される電子ビーム５ｅを偏向するための偏向磁場Ｂが形成される。
【００３８】
そして、この偏向磁場Ｂの鉄心９ａに巻き付けたコイル９ｂに供給する励磁電流の大きさ及び向きを変えることによって、磁極９ｃと磁極９ｃの両端の磁極の間に形成される偏向磁場Ｂの強度及び向きを調整できるようになっている。
【００３９】
焦点変位検出器１０は、Ｘ線検出器６のＸ線ビーム７の受光面に、被検体２の体軸方向（スライス方向）に直交するチャンネル方向に、多数配列されているＸ線検出素子の一部（好ましくは端部）を利用して構成されている。このＸ線検出素子は、被検体２の体軸方向（スライス方向）へ複数列配列された構造となっている。
【００４０】
ここで、Ｘ線焦点にずれが生ずると、複数のＸ線検出素子へ入射するＸ線量に差が生ずるため、それらのＸ線検出素子の出力信号（焦点変位検出信号）にも差が生ずる。
【００４１】
偏向制御手段１１は、焦点変位検出器１０から出力された焦点変位検出信号の差分がゼロになるように、偏向電磁石９によって形成される偏向磁場Ｂの強度及び向きを制御するものである。この偏向制御手段１１には、前記演算を行う手段に加え、電磁石電源１２が設けられており、この電磁石電源１２から励磁電流が出力され、偏向電磁石９のコイル９ｂに供給されるようになっている。
【００４２】
この電磁石電源１２から偏向電磁石９のコイル９ｂに供給される励磁電流の大きさ及び向きは、可変可能に構成されている。したがって、偏向制御手段１１では、この電磁石電源１２から供給される励磁電流の大きさ及び向きを変えることによって、偏向電磁石９によって形成される偏向磁場Ｂの強度及び向きを制御している。
【００４３】
偏向電磁石９が形成する偏向磁場Ｂは、鉄心の磁極９ｃ−９ｃ間や、その近傍に強磁性体があると分布に乱れを生じる。したがって、前記磁極９ｃ−９ｃに挟まれた空間に位置するＸ線管装置５の構成部材も非磁性材又は常磁性体を用いなければならないが、従来より、Ｘ線管外囲器５ａはアルミ鋳物、Ｘ線管５ｂはガラス又はガラスとオーステナイト系ステンレス鋼板を用いて制作されているので、本発明の実施上問題はない。
【００４４】
しかし、従来より使用されている一般的なＸ線管の陰極（フィラメントを除いた部分）は、純鉄やニッケルなどの強磁性体によって形成されているので、そのような構成では、強磁性体による磁束の吸引によって、偏向電磁石９が形成する偏向磁場Ｂの分布に乱れが生じてしまう。
【００４５】
そこで、本実施例では、偏向電磁石９が形成する偏向磁場Ｂの分布の乱れを小さくするために、Ｘ線管５ｂの陰極５ｃのフィラメントを除く部分をオーステナイト系ステンレス鋼などの非磁性体又は常磁性体によって構成している。
【００４６】
次に、図面を用いて第１実施例に係るＸ線ＣＴ装置の動作を説明する。
【００４７】
まず、寝台３に被検体２を寝かせて載置する。そして、被検体２の断層撮影を開始するに当たっては、被検体２を寝台３に寝かせた状態で、撮影部位が回転体４の回転中心となるように寝台３の高さを調整する。
【００４８】
次に、Ｘ線ＣＴ装置の運転を開始すると、回転体４が回転を開始し、同時にＸ線管装置５より被検体２に向けてＸ線ビーム７が照射されて、被検体２の断層撮影が開始される。
【００４９】
被検体２の断層撮影を開始した後、繰り返し撮影が行われると、Ｘ線管５ｂ内の陽極５ｄは、加熱されて熱膨張する。すると、Ｘ線管５ｂ内の陽極５ｄは、図３に示す如く、実線位置から点線位置へと移動する。
【００５０】
このようにＸ線管５ｂ内の陽極５ｄが図４の図示実線位置から点線位置へと移動すると、Ｘ線管５ｂの陰極５ｃから放出された電子ビーム５ｅが陽極５ｄに衝突する焦点５ｆの位置が体軸方向（スライス方向：図中Ｘ方向）に移動し５ｆ´となる。この結果、Ｘ線管５から照射されるＸ線ビーム７は、Ｘ線検出器６の正常な位置に当たらなくなる。
【００５１】
この焦点５ｆの位置が体軸方向（スライス方向）に移動する焦点変位（焦点の基準位置に対する変位）は、Ｘ線検出器６のチャンネル方向端部に設けられている焦点変位検出器１０によって検出される。この焦点変位検出器１０によって検出された焦点変位検出信号は、偏向制御手段１１に送出される。
【００５２】
焦点変位検出器１０から送信されてきた焦点変位検出信号を受信した偏向制御手段１１は、焦点変位検出器１０によって検出された焦点変位検出信号に基づいて、偏向電磁石９のコイル９ｂに供給する励磁電流を演算によって求め、その結果に基づいて励磁電流調整信号を電磁石電源１２へ出力する。
【００５３】
すると、偏向電磁石９は、磁極９ｃ、９ｃ間に形成される偏向磁場Ｂの強度の調整を行う。
【００５４】
偏向電磁石９の両端の磁極９ｃ、９ｃ間に形成される偏向磁場Ｂの調整によって、電子ビーム５ｅは、偏向され、例えば、図４に示す如く、陽極５ｄが点線位置方向に移動した場合は、電子ビーム５ｅが点線に示すようにＸ方向に偏向され、その結果、電子ビーム５ｅの陽極５ｄに衝突する位置（焦点の位置）が５ｆ”に移動する。このようにしてＸ線管５ｂの体軸方向（スライス方向）の焦点位置が補正される。
【００５５】
この偏向制御手段１１は、Ｘ線ビーム７の照射中は常に、焦点変位検出器１０によって検出される前記焦点変位検出信号の差分がゼロになるように偏向磁場Ｂの強度を制御している。このため、Ｘ線管５ｂ内の陽極５ｄが熱膨張しても、常に焦点位置が補正された状態で被検体２の断層撮影が可能となる。したがって、本実施例によれば、リングアーチファクトが低減又は除去された断層画像を得ることができる。
【００５６】
なお、以上の動作説明においては、Ｘ線管５の陽極５ｂの熱膨張による焦点変位を補正する場合を採り上げたが、Ｘ線管５ｂの焦点が体軸方向（スライス方向）に変位する種々の条件、例えば、ガントリ１のチルト角度、回転体４の回転速度など、においても、同様に焦点位置を補正することが可能である。
【００５７】
本実施例に係るＸ線ＣＴ装置の１つの特長は、レスポンス良く焦点位置を補正することができることである。
【００５８】
本実施例に係るＸ線ＣＴ装置では、電子ビームを偏向することによって焦点位置を補正しているため、レスポンスが良い。そのため、チルト計測時やＸ線管５の休止時間が長い時のように焦点変位が大きい場合であっても、本スキャンの直前に予備曝射せずにリングアーチファクトが低減又は除去された断層画像を取得することができる。
【００５９】
さらに、本実施例に係るＸ線ＣＴ装置の特長は、電子ビーム偏向手段が備わっていない一般的なＸ線管を使用することができることである。
【００６０】
本実施例に係るＸ線ＣＴ装置においては、偏向電磁石９を、Ｘ線管装置５の内部に設けるのではなく、Ｘ線管装置５とは別のユニットとしてＸ線管外囲器５ａの外面に接近して設けている。したがって、本実施例に係るＸ線ＣＴ装置によれば、Ｘ線管５ｂの内部に電子ビーム偏向手段を備えた特殊で高価なＸ線管を使用することなく、レスポンスの良い焦点位置補正を実現することができる。
【実施例２】
【００６１】
図５には、本発明に係るＸ線ＣＴ装置の第２の実施例が示されている。なお、第１の実施例と同一部品については、同一符号を付してその説明を省略する。
【００６２】
第２の実施例は、焦点変位検出器１０の設置位置を、第１の実施例に対して変えたものである。すなわち、第２の実施例が第１の実施例と異なる点は、第１の実施例が焦点変位検出器１０を、Ｘ線検出器６のＸ線ビーム７の受光面に、被検体２の体軸方向（スライス方向）に直交するチャンネル方向に、多数配列されているＸ線検出素子の一部を利用して構成しているのに対し、第２の実施例が焦点変位検出器１０Ａを、Ｘ線管装置５と被検体２との間に別個に設けて構成している点である。
【００６３】
図５において、焦点変位検出器１０Ａは、Ｘ線管装置５と被検体２との間に設けられており、体軸方向（スライス方向）に配列された複数個のＸ線検出素子を備えて構成されている。このため、焦点変位検出器１０Ａは、Ｘ線管５のスライス方向の焦点変位を検出することができる。
【００６４】
本実施例の構成によると、焦点変位検出器１０Ａが、Ｘ線管５から照射されるＸ線を被検体２によって遮られることなくダイレクトに受光することができる。したがって、被検体２の体格やポジショニング等によらず安定して焦点位置を補正することができる。
【実施例３】
【００６５】
図６には、本発明に係るＸ線ＣＴ装置の第３の実施例が示されている。なお、第１の実施例と同一部品については、同一符号を付してその説明を省略する。
【００６６】
第３の実施例は、偏向電磁石９を変形構成したものである。
【００６７】
図６において、偏向電磁石９Ａの鉄心９ａは、Ｘ線管５のＸ線照射側に配置されている。また、偏向電磁石９Ａの鉄心９ａの形状は、Ｘ線管５から被検体２へ向けて照射されるＸ線が遮蔽されないように配置又は形成されている。
【００６８】
図６に図示の第３の実施例の偏向電磁石９Ａは、図２に図示の第１の実施例の偏向電磁石９と比較して、鉄心９ａの長さを短くすることができる。このため、第３の実施例によれば、よりコンパクトな偏向電磁石９Ａを実現することができる。
【００６９】
なお、第１、第２の実施例及び第３の実施例では、偏向電磁石９、９Ａの鉄心９ａの材質として、ケイ素鋼板を採用したが、これに限ることなく、例えば純鉄を採用してもよい。
【００７０】
また、偏向電磁石９、９Ａのコイル９ｂの配置は、Ｘ線管５ｂ内の陰極５ｃから放出された電子ビーム５ｅを偏向するための偏向磁場Ｂを形成できる構成であれば、どのように配置してもよい。
【００７１】
更に鉄心９ａの横断面形状は、矩形に限定されることなく円形でもよい。
【図面の簡単な説明】
【００７２】
【図１】本発明に係るＸ線ＣＴ装置の第１の実施の形態を示す概略構成図である。
【図２】図１に図示のＸ線ＣＴ装置の正面側から見た偏向電磁石部を示す図である。
【図３】図１に図示のＸ線ＣＴ装置の側面側から見た偏向電磁石部を示す図である。
【図４】図１に図示のＸ線ＣＴ装置の焦点位置の補正を説明するための図である。
【図５】本発明に係るＸ線ＣＴ装置の第２の実施の形態を示す概略構成図である。
【図６】本発明に係るＸ線ＣＴ装置の第３の実施の形態の偏向電磁石部を示す図である。
【符号の説明】
【００７３】
１……………………………ガントリ
１ａ…………………………開口部
２……………………………被検体
３……………………………寝台
４……………………………回転体
５……………………………Ｘ線管
５ａ…………………………陰極
５ｂ…………………………陽極
５ｃ…………………………電子ビーム
５ｄ，５ｄ’………………焦点
６……………………………Ｘ線検出器
７……………………………Ｘ線ビーム
８……………………………コリメータ
９，９Ａ……………………偏向電磁石
９ａ…………………………鉄心
９ｂ…………………………コイル
９ｃ…………………………磁極
１０，１０Ａ………………焦点変位検出器
１１…………………………偏向制御手段
１２…………………………電磁石電源
【図１】
2009142349.tif 000003
【図２】
2009142349.tif 000004
【図３】
2009142349.tif 000005
【図４】
2009142349.tif 000006
【図５】
2009142349.tif 000007
【図６】
2009142349.tif 000008